【手続補正書】
【提出日】平成26年10月21日(2014.10.21)
【手続補正１】
【補正対象書類名】特許請求の範囲
【補正対象項目名】全文
【補正方法】変更
【補正の内容】
【特許請求の範囲】
【請求項１】
互いに暗号通信を行なう第１の制御手段と第２の制御手段とを備え、対応する遊技機を動作させるための遊技用装置を有する遊技用システムであって、
前記第１の制御手段は、
鍵を用いて暗号文を生成する第１の暗号手段と、
鍵を用いて受信した暗号文を復号する第１の復号手段と、
鍵を所定の更新方法で更新する第１の鍵更新手段とを含み、
前記第２の制御手段は、
鍵を用いて暗号文を生成する第２の暗号手段と、
鍵を用いて受信した暗号文を復号する第２の復号手段と、
鍵を前記第１の鍵更新手段と同じ前記所定の更新方法で更新する第２の鍵更新手段とを含み、
前記第１の制御手段と前記第２の制御手段とは、前記第１の暗号手段と前記第２の暗号手段とが交互に生成する暗号文により前記暗号通信を行なうものであり、
前記第１の暗号手段は、前記第１の復号手段で暗号文の復号に用いられた鍵から前記第１の鍵更新手段により更新された鍵を用いて暗号文を生成し、
前記第２の暗号手段は、前記第２の復号手段で暗号文の復号に用いられた鍵から前記第２の鍵更新手段により更新された鍵を用いて暗号文を生成し、
前記第１の復号手段および前記第２の復号手段は、前記第１の鍵更新手段と前記第２の鍵更新手段とで鍵更新の齟齬が生じて受信した暗号文の復号ができなかったときに、該復号ができなかった鍵を更新して受信した暗号文の復号を所定回数の範囲内で試みる鍵更新復号処理を行なう、遊技用システム。
【請求項２】
前記第１の制御手段と前記第２の制御手段との間での暗号通信は、暗号通信文が受信できなかったときに暗号通信文の再送信を予め定められた規定回数の範囲内で実行され、
前記第１の復号手段および前記第２の復号手段は、前記規定回数に応じた実行回数の範囲内で前記鍵更新復号処理を実行する、請求項１に記載の遊技用システム。
【請求項３】
前記第１の制御手段と前記第２の制御手段とは、ともに、
認証方式の異なる複数種類の相互認証処理を前記第１の制御手段と前記第２の制御手段との間で行なう相互認証処理手段と、
該相互認証処理手段による各相互認証の単独での認証結果が不適正な場合に該単独での認証結果を認証相手の制御手段に通知せず、前記複数種類の相互認証すべてを実行した結果の異常を総括して、認証相手の制御手段に通知する総括通知手段とをさらに含む、請求項１または２に記載の遊技用システム。
【請求項４】
互いに暗号通信を行なう第１の制御手段と第２の制御手段とを備え、対応する遊技機を動作させるための遊技用装置であって、
前記第１の制御手段は、
鍵を用いて暗号文を生成する第１の暗号手段と、
鍵を用いて受信した暗号文を復号する第１の復号手段と、
鍵を所定の更新方法で更新する第１の鍵更新手段とを含み、
前記第２の制御手段は、
鍵を用いて暗号文を生成する第２の暗号手段と、
鍵を用いて受信した暗号文を復号する第２の復号手段と、
鍵を前記第１の鍵更新手段と同じ前記所定の更新方法で更新する第２の鍵更新手段とを含み、
前記第１の制御手段と前記第２の制御手段とは、前記第１の暗号手段と前記第２の暗号手段とが交互に生成する暗号文により前記暗号通信を行なうものであり、
前記第１の暗号手段は、前記第１の復号手段で暗号文の復号に用いられた鍵から前記第１の鍵更新手段により更新された鍵を用いて暗号文を生成し、
前記第２の暗号手段は、前記第２の復号手段で暗号文の復号に用いられた鍵から前記第２の鍵更新手段により更新された鍵を用いて暗号文を生成し、
前記第１の復号手段および前記第２の復号手段は、前記第１の鍵更新手段と前記第２の鍵更新手段とで鍵更新の齟齬が生じて受信した暗号文の復号ができなかったときに、該復号ができなかった鍵を更新して受信した暗号文の復号を所定回数の範囲内で試みる鍵更新復号処理を行なう、遊技用装置。
【請求項５】
前記第１の制御手段と前記第２の制御手段との間での暗号通信は、暗号通信文が受信できなかったときに暗号通信文の再送信を予め定められた規定回数の範囲内で実行され、
前記第１の復号手段および前記第２の復号手段は、前記規定回数に応じた実行回数の範囲内で前記鍵更新復号処理を実行する、請求項４に記載の遊技用装置。
【請求項６】
前記第１の制御手段と前記第２の制御手段とは、ともに、
認証方式の異なる複数種類の相互認証処理を前記第１の制御手段と前記第２の制御手段との間で行なう相互認証処理手段と、
該相互認証処理手段による各相互認証の単独での認証結果が不適正な場合に該単独での認証結果を認証相手の制御手段に通知せず、前記複数種類の相互認証すべてを実行した結果の異常を総括して、認証相手の制御手段に通知する総括通知手段とをさらに含む、請求項４または５に記載の遊技用装置。
【手続補正２】
【補正対象書類名】明細書
【補正対象項目名】０００７
【補正方法】変更
【補正の内容】
【０００７】
（１）  本発明は、互いに暗号通信を行なう第１の制御手段（メイン制御部３２３、またはＣＵ３、Ｐ台２、Ｚカウンタ、ＰＯＳ端末等）と第２の制御手段（ＣＵ通信制御部８０、またはＣＵ３、Ｐ台２、Ｚカウンタ、ＰＯＳ端末等）とを備え、対応する遊技機を動作させるための遊技用装置を有する遊技用システムであって、
前記第１の制御手段は、
鍵（図６７（ａ）のカウンタ）を用いて暗号文を生成する第１の暗号手段（図６７（ｂ）、図７４（ａ）のＳ１０５）と、
鍵を用いて受信した暗号文を復号する第１の復号手段（図６８）、図７４（ｂ）のＳ１３３）と、
鍵を所定の更新方法で更新する第１の鍵更新手段（図６７（ｂ）〜図７３のカウンタの更新処理）とを含み、
前記第２の制御手段は、
鍵を用いて暗号文を生成する第２の暗号手段（図６７（ｂ）、図７４（ａ）のＳ１０５）と、
鍵を用いて受信した暗号文を復号する第２の復号手段（図６８）、図７４（ｂ）のＳ１３３）と、
鍵を前記第１の鍵更新手段と同じ前記所定の更新方法で更新する第２の鍵更新手段（図６７（ｂ）〜図７３のカウンタの更新処理）とを含み、
前記第１の制御手段と前記第２の制御手段とは、前記第１の暗号手段と前記第２の暗号手段とが交互に生成する暗号文により前記暗号通信を行なうものであり、
前記第１の暗号手段は、前記第１の復号手段で暗号文の復号に用いられた鍵から前記第１の鍵更新手段により更新された鍵を用いて暗号文を生成し（図６７（ｂ）〜図７３；１回の送信または受信で（暗号文のデータ長９６バイト）／（鍵長１６バイト）＝６だけ加算更新）、
前記第２の暗号手段は、前記第２の復号手段で暗号文の復号に用いられた鍵から前記第２の鍵更新手段により更新された鍵を用いて暗号文を生成し（図６７（ｂ）〜図７３；１回の送信または受信で（暗号文のデータ長９６バイト）／（鍵長１６バイト）＝６だけ加算更新）、
前記第１の復号手段および前記第２の復号手段は、前記第１の鍵更新手段と前記第２の鍵更新手段とで鍵更新の齟齬が生じて受信した暗号文の復号ができなかったときに、該復号ができなかった鍵を更新して受信した暗号文の復号を所定回数の範囲内で試みる鍵更新復号処理を行なう（図７０、図７１、図７５（ａ）のＳ１５０〜Ｓ１６２）。
【手続補正３】
【補正対象書類名】明細書
【補正対象項目名】００１１
【補正方法】変更
【補正の内容】
【００１１】
（３）  上記（１）または（２）の遊技用システムにおいて、前記第１の制御手段と前記第２の制御手段との間での暗号通信は、暗号通信文が受信できなかったときに暗号通信文の再送信を予め定められた規定回数（２回）の範囲内で実行され、
前記第１の復号手段および前記第２の復号手段は、前記規定回数に応じた実行回数の範囲内で前記鍵更新復号処理（図７５（ａ）のＳ１５５、Ｓ１６１）を実行する。
【手続補正４】
【補正対象書類名】明細書
【補正対象項目名】００１３
【補正方法】変更
【補正の内容】
【００１３】
（４）  本発明の他の態様は、互いに暗号通信を行なう第１の制御手段（メイン制御部３２３）と第２の制御手段（ＣＵ通信制御部８０）とを備え、対応する遊技機を動作させるための遊技用装置（カード処理装置３）であって、
前記第１の制御手段は、
鍵（図６７（ａ）のカウンタ）を用いて暗号文を生成する第１の暗号手段（図６７（ｂ）、図７４（ａ）のＳ１０５）と、
鍵を用いて受信した暗号文を復号する第１の復号手段（図６８）、図７４（ｂ）のＳ１３３）と、
鍵を所定の更新方法で更新する第１の鍵更新手段（図６７（ｂ）〜図７３のカウンタの更新処理）とを含み、
前記第２の制御手段は、
鍵を用いて暗号文を生成する第２の暗号手段（図６７（ｂ）、図７４（ａ）のＳ１０５）と、
鍵を用いて受信した暗号文を復号する第２の復号手段（図６８）、図７４（ｂ）のＳ１３３）と、
鍵を前記第１の鍵更新手段と同じ前記所定の更新方法で更新する第２の鍵更新手段（図６７（ｂ）〜図７３のカウンタの更新処理）とを含み、
前記第１の制御手段と前記第２の制御手段とは、前記第１の暗号手段と前記第２の暗号手段とが交互に生成する暗号文により前記暗号通信を行なうものであり、
前記第１の暗号手段は、前記第１の復号手段で暗号文の復号に用いられた鍵から前記第１の鍵更新手段により更新された鍵を用いて暗号文を生成し（図６７（ｂ）〜図７３；１回の送信または受信で（暗号文のデータ長９６バイト）／（鍵長１６バイト）＝６だけ加算更新）、
前記第２の暗号手段は、前記第２の復号手段で暗号文の復号に用いられた鍵から前記第２の鍵更新手段により更新された鍵を用いて暗号文を生成し（図６７（ｂ）〜図７３；１回の送信または受信で（暗号文のデータ長９６バイト）／（鍵長１６バイト）＝６だけ加算更新）、
前記第１の復号手段および前記第２の復号手段は、前記第１の鍵更新手段と前記第２の鍵更新手段とで鍵更新の齟齬が生じて受信した暗号文の復号ができなかったときに、該復号ができなかった鍵を更新して受信した暗号文の復号を所定回数の範囲内で試みる鍵更新復号処理を行なう（図７０、図７１、図７５（ａ）のＳ１５０〜Ｓ１６２）。
【手続補正５】
【補正対象書類名】明細書
【補正対象項目名】００１７
【補正方法】変更
【補正の内容】
【００１７】
（６）  上記（４）または（５）の遊技用装置において、前記第１の制御手段と前記第２の制御手段との間での暗号通信は、暗号通信文が受信できなかったときに暗号通信文の再送信を予め定められた規定回数（２回）の範囲内で実行され、
前記第１の復号手段および前記第２の復号手段は、前記規定回数に応じた実行回数の範囲内で前記鍵更新復号処理（図７５（ａ）のＳ１５５、Ｓ１６１）を実行する。
【手続補正６】
【補正対象書類名】明細書
【補正対象項目名】００１８
【補正方法】変更
【補正の内容】
【００１８】
このような構成によれば、鍵更新手段による鍵更新処理が暗号文の送受信に応じて行なわれるために、その鍵更新処理の齟齬が、暗号文が受信できなかったときの暗号通信文の再送信が原因で生ずることとなる。ゆえに、鍵更新復号処理は、その暗号文の再送信が実行される規定回数に応じた実行回数の範囲内で行なえば齟齬が解消されるはずである。ゆえに、鍵更新復号処理をその規定回数に応じた実行回数の範囲内で実行するようにし、みだりに多くの回数鍵更新復号処理を行なうことによるセキュリティの低下を極力防止することができる。
（７）  上記（１）または（３）の遊技用システムにおいて、前記第１の制御手段と前記第２の制御手段とは、ともに、
認証方式の異なる複数種類の相互認証処理を前記第１の制御手段と前記第２の制御手段との間で行なう相互認証処理手段と、
該相互認証処理手段による各相互認証の単独での認証結果が不適正な場合に該単独での認証結果を認証相手の制御手段に通知せず、前記複数種類の相互認証すべてを実行した結果の異常を総括して、認証相手の制御手段に通知する総括通知手段とをさらに含む。
（８）  上記（４）または（６）の遊技用装置において、前記第１の制御手段と前記第２の制御手段とは、ともに、
認証方式の異なる複数種類の相互認証処理を前記第１の制御手段と前記第２の制御手段との間で行なう相互認証処理手段と、
該相互認証処理手段による各相互認証の単独での認証結果が不適正な場合に該単独での認証結果を認証相手の制御手段に通知せず、前記複数種類の相互認証すべてを実行した結果の異常を総括して、認証相手の制御手段に通知する総括通知手段とをさらに含む。